(57)【要約】【課題】  軽量小型で店頭等の卓上や台上に載置して使用でき、店の従業員のみならず、商品の購買者自身でも手動で容易に容器の封緘ができる容器封緘装置を提供すること。【解決手段】  容器本体と蓋体とからなる合成樹脂シート材製包装用容器の卓上載置型封緘装置であって、容器を搬送するコンベアと、容器本体と蓋体との重ね合わせ周縁部を粘着テープで封緘する封緘機構と、テープを所定の位置で切断するカッター機構と、容器の周縁部を封緘機構の作業位置に合わせるコンベア昇降機構とを含み、前記コンベアは回転ハンドルを介して手動で一方向に駆動するように構成され、カッター機構は操作体を介して手動で操作する構成とされ、封緘機構は容器の周縁部を粘着テープで二つ折りに挟み込みながら接着する上下一対の圧着ローラを備え、該圧着ローラのテープ送り速度とコンベアの容器送り速度とが同期するように駆動部が連動連結されている構成としたもの。【選択図】  図１
2010083576.tif 000002
【特許請求の範囲】
【請求項１】
容器本体と蓋体とからなる合成樹脂シート材製包装用容器の卓上載置型封緘装置であって、
物品を入れた容器を搬送するコンベアと、
容器本体と蓋体との重ね合わせ周縁部の外周部分を粘着テープで封緘する封緘機構と、
粘着テープを所定の位置で切断するカッター機構と、
容器の周縁部を封緘機構の作業位置に合わせるためのコンベア昇降機構とを含み、
前記コンベアは回転ハンドルを介して手動により一方向に駆動するように構成され、
前記カッター機構は操作体を介して手動で操作するように構成され、
前記封緘機構は容器の周縁部の外周部を粘着テープで二つ折りに挟み込みながら接着する上下一対の圧着ローラを備え、
該圧着ローラのテープ送り速度とコンベアの容器送り速度とが同期するようにそれぞれの駆動部が連動連結されている
包装用容器の卓上載置型封緘装置。
【請求項２】
容器の封緘機構が、断面Ｖ字形に屈曲させた粘着テープによって容器の周縁部を挟み込みながら圧着ローラに送り込む固定ガイド部材を含み、この固定ガイド部材が前記圧着ローラに近接した位置に配置されている請求項１に記載の包装用容器の卓上載置型封緘装置。
【請求項３】
容器の封緘機構が、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた成形用回転ローラとを含む請求項１または２に記載の包装用容器の卓上載置型封緘装置。
【請求項４】
固定ガイド部材が、成形用回転ローラを軸方向に沿って略半割形に切断して形成したものである請求項２または３に記載の包装用容器の卓上載置型封緘装置。
【発明の詳細な説明】
【技術分野】
【０００１】
本発明は、例えば天ぷらや煮物類等惣菜包装用の容器や鶏卵包装用の容器、きんかんやトマトその他の小形の果菜類、菓子・パンのような食品包装用の容器として使用するのに適した、容器本体と蓋体とからなる合成樹脂シート材製の包装用容器を、所要食品類を適宜に収容して封緘するときに、その周縁部を粘着テープによって封緘するために使用する装置に関するものであって、殊に、スーパーマーケットやコンビニエンスストア、青果店・鮮魚店・和洋菓子店等の包装場所や店頭に載置しておいて、惣菜その他の商品を収容して商品包装担当者がその場で封緘したり、商品を購入した購買客自身が商品を収容した容器を手動で封緘することができるようにした卓上載置型の封緘装置に関するものである。
【背景技術】
【０００２】
従来、容器本体と蓋体とがその一側においてヒンジ部を介して一体的に連結されている合成樹脂シート材製の包装用容器が知られていて、この容器内に所要の商品を包装する形態としては、通常は工場内等において効率的に行われている。例えば鶏卵包装用容器の場合、複数の鶏卵を容器内に収容し、蓋を閉じて容器本体と蓋体との重ね合わせ周縁部を粘着テープで工業的に封緘することは、鶏卵生産者において行われている。この鶏卵包装用の自動封緘装置は、例えば本特許出願人が既に提案し公知になっている。このことは、後記の特許文献１や特許文献２に記載されている通りである。
【特許文献１】特許第２５３７４６１号公報
【特許文献２】特許第２７２９５９８号公報
【発明の開示】
【発明が解決しようとする課題】
【０００３】
このような従来の鶏卵容器の封緘装置は、鶏卵生産者が自社に設置した一連の鶏卵自動梱包ラインの末端部分に配置して、例えば１分間に５０個〜６０個またはそれ以上の容器を自動的に封緘する自動機によって封緘されている。自動封緘機で封緘された鶏卵は段ボール箱等に収容され梱包されたのち、市場に出荷され、店頭に陳列されている。
【０００４】
しかしながら、鶏卵についてみれば、一人暮らしの年配者のみならず若者であっても一人暮らしの人々にとっては、１０個包装の鶏卵ではなく、ばら売りの鶏卵を１個若しくは２，３個必要量だけ購入したいという要求があり、また、近年では、このような単身生活者に限らず、一般家庭人にあっても、前記のように、天ぷらや煮物類等の惣菜や、きんかん・トマトその他の小形の果菜類等を、購買者の好みに応じて必要量を購入し、購買者自身が合成樹脂シート材製の容器に入れて持ち帰るというケースが多く見られるようになってきている。このような場合、現在では、容器を封緘する手段として店頭に用意されている輪ゴムを掛けるか、セロファンテープで仮止めしているが、密閉効果が悪く、持ち運び中に容易に蓋が開いてしまうという課題を有しており、このような封緘方法に代わる方法は現在のところ存在しない。
【０００５】
本発明は、このような課題を解消するために開発されたものであって、軽量且つ小型で店頭等の卓上や台上に載置して使用することができるものであって、電源を必要とすることなく、店の従業員のみならず、商品の購買者自身でも手動で容易に容器の封緘をすることができる新規な容器の封緘装置を提供しようとするものである。
【課題を解決するための手段】
【０００６】
該目的を達成するために本発明では前記請求項１に記載のような技術的手段を講じた。即ち、本発明に係る包装用容器の卓上載置型封緘装置にあっては、容器本体と蓋体とからなる合成樹脂シート材製包装用容器の卓上載置型封緘装置であって、物品を入れた容器を搬送するコンベアと、容器本体と蓋体との重ね合わせ周縁部の外周部分を粘着テープで封緘する封緘機構と、粘着テープを所定の位置で切断するカッター機構と、容器の周縁部を封緘機構の作業位置に合わせるためのコンベア昇降機構とを含み、前記コンベアは回転ハンドルを介して手動により一方向に駆動するように構成され、前記カッター機構は操作体を介して手動で操作するように構成され、前記封緘機構は容器の周縁部の外周部を粘着テープで二つ折りに挟み込みながら接着する上下一対の圧着ローラを備え、該圧着ローラのテープ送り速度とコンベアの容器送り速度とが同期するようにそれぞれの駆動部が連動連結されている構成としたものである。
【０００７】
また、請求項２に記載の要件は、請求項１に記載の装置における、容器の封緘機構が、断面Ｖ字形に屈曲させた粘着テープによって容器の周縁部を挟み込みながら圧着ローラに送り込む固定ガイド部材を含み、この固定ガイド部材が前記圧着ローラに近接した位置に配置されている構成としたものである。
【０００８】
続く請求項３に記載の要件は、請求項１または２に記載の装置における、容器の封緘機構が、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた成形用回転ローラとを含む構成としたものである。
【０００９】
最後の請求項４に記載の要件は、請求項２または３に記載の装置における、固定ガイド部材が、成形用回転ローラを軸方向に沿って略半割形に切断して形成してある構成としたものである。
【発明の効果】
【００１０】
本発明の卓上載置型封緘装置は上記のごとく構成されているので、回転ハンドルを手動で回転させてコンベアを駆動させることによって、コンベア上に載置した容器を移動させながら、二つ折り状にした粘着テープで容器の周縁部を挟み込んで容易に接合封緘することができる。殊に、封緘機構の圧着ローラのテープ送り速度とコンベアの容器送り速度とを同期するようにそれぞれの駆動部を連動連結されているので、ハンドルを回転させるだけで容器と粘着テープとを同期させて送ることができて、確実に容器の封緘をすることができる。
【００１１】
また、サイズや形の異なる各種容器の封緘高さ位置、即ち、容器の重ね合わせ周縁部の高さ位置を、封緘機構の高さ位置に合わせるべくコンベア昇降機構によりコンベアの容器載置面を昇降させて位置調整することができるので、サイズや形状の異なった各種の容器に適応させることができる。更には、装置全体を卓上や小形台上に載置させて操作できるように小型のサイズで形成してあるので、持ち運びが容易にでき、場所をとらないので、店頭内等の適宜の箇所に載置しておくことができ、商品の購買者自身でも便利に使用することができるという効果がある。
【００１２】
また、本発明の実施に当たっては、前記請求項２に記載の封緘機構のように、断面Ｖ字形に屈曲した粘着テープに容器の周縁部を挟み込みながら圧着ローラに送り込む固定ガイド部材を含み、この固定ガイド部材を圧着ローラに近接した位置に配置されている構成とするのがよい。これにより、固定ガイド部材によって容器の周縁部を挟んだ状態でＶ字形に折り曲げられた粘着テープが、ガイド部材から距離を置くことなく直ぐに圧着ローラで圧着されるので、確実な圧着接合をすることができる。
【００１３】
続く請求項３に記載のように、封緘機構が、圧着ローラ並びに固定ガイド部材に加え、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた成形用回転ローラとを備えた構成とするのがよい。このようにすることよって、成形用回転ローラと固定ガイド部材とによって粘着テープを順次断面Ｖ字形に折り曲げながら固定ガイド部材まで送り出されて、治具の溝に沿って移動されてきた容器の周縁部を固定ガイド部材で二つ折り形に挟み込んで、圧着ローラによって確実に圧着接合させることができる。
【００１４】
更に、請求項４に記載のように、固定ガイド部材が、前記成形用回転ローラを軸方向に沿って略半割に裁断して形成されている構成とするのがよい。このようにすると、固定ガイド部材は、独立して製作することなく、成形用回転ローラを利用して、これを略半割に裁断するだけでよいので、製造コストの低減化を図ることができる。
【発明を実施するための最良の形態】
【００１５】
以下において本発明に係る包装用容器の卓上載置型封緘装置について図面に示した実施例に基づいて説明する。図１乃至図６は、第１実施例を示す図であって、図１は卓上載置型封緘装置の全体形状を示す正面図、図２は同平面図、図３はカッター機構を説明するための側面図、図４は封緘機構部分を示す斜視図である。また、図５及び図６は上下に対向配置させた圧着ローラ１０，１０を示す側面図である。
【００１６】
該実施例に示した卓上載置型封緘装置Ａは、図１のように、装置の全体を任意のテーブルＢや台上に載置して操作できるような小型サイズに形成されている。その大きさは特定範囲内のものである必要はないが、該実施例に示した装置の大きさを参考までに記載しておくと、図１における左右方向の長さを５５０〜６００ｍｍ程度に形成したものである。また、使用する粘着テープの幅についても特に限定されるものではないが、入手の容易な９ｍｍ、１０ｍｍ、１２ｍｍ、１５ｍｍ等の市販品を使用することができる。
【００１７】
また、本発明にいう卓上載置型封緘装置Ａによって封緘される包装用容器Ｃは、図４に示すように、容器本体１と蓋体２とがその一側においてヒンジ部３を介して一体的に連結されている薄い合成樹脂シート材製の容器であって、例えば鶏卵や惣菜、ケーキ等を収容するのに使用されている一般に周知の容器である。勿論、発泡性樹脂シート製の容器についても排除するものではない。そのため、上下に対向配置させた前記の圧着ローラ１０，１０の間隔は、必要に応じて後述する図５，６に記載のスプリング４６の押圧力に逆らって広がることができるようにしてある。
【００１８】
該実施例では、使用する合成樹脂製容器を容器本体と蓋体とが一側縁部においてヒンジ部を介して一体的に連結されている容器について説明する。而して、本発明の卓上載置型封緘装置Ａは、例えば図４に例示した鶏卵包装用容器のような容器Ｃを搬送するコンベア５と、包装用容器Ｃにおけるヒンジ部３と対向する側の、容器本体１と蓋体２との重ね合わせ遊端縁部４を粘着テープ６によって封緘する封緘機構７と、包装用容器Ｃを封緘する粘着テープ６を所定の位置で切断するカッター機構８と、容器の重ね合わせ遊端縁部４の高さ位置を前記圧着ローラ１０，１０間の高さ位置と一致させるための、コンベア５の容器載置面を昇降させるコンベア昇降機構９とを備えている。
【００１９】
前記封緘機構７は、図４に詳しく示すように、包装用容器Ｃの遊端縁部４を粘着テープ６で二つ折りに挟み込んで接着する上下一対の圧着ローラ１０，１０と、包装用容器Ｃの送り方向に沿って配置されて包装用容器Ｃの遊端縁部４をガイドする断面Ｖ字形の溝１１を有する治具１２と、粘着テープ６を順次断面Ｖ字形に折り曲げながら送り出すことができるように周面にＶ字形溝１３ａを備えた前後二つの成形用回転ローラ１３と、前記圧着ローラ１０に近接する位置に配置されて断面Ｖ字形になった粘着テープ６に包装用容器Ｃの遊端縁部４を挟み込みながら圧着ローラ１０に送り込む断面Ｖ字形のガイド溝１４ａを備えた固定ガイド部材１４とからなっている。
【００２０】
本実施例の装置にあっては、前記固定ガイド部材１４は、成形用回転ローラ１３を軸方向に沿って略半割状に裁断して形成してあり、半割にされた平らな切断面１４ｂ側を圧着ローラ１０に接触しない範囲内で近接させて配置させてある。例えば、該実施例の装置では、固定ガイド部材１４の切断面部分と圧着ローラ１０，１０との接線との間を図４のように１ｍｍ程度にまで近接させてある。この間隔は小さいほど良いが、０．５〜５ｍｍ程度の範囲内に設定しておくのが好ましい。また、独立した成形品を形成する場合には、圧着ローラ１０，１０側の端面の一部を上下の圧着ローラ１０，１０の円弧内にまで入り込ませてある形状として実施することもできる。該固定ガイド部材１４を、前記のように回転ローラ１３と同じ成形品を使用すると、固定ガイド部材１４専用の成形金型を作る必要がないので、製造コストの低減化を図り得る利点がある。このようにして、粘着テープ６によって、容器の遊端縁部４をＶ字形に挟んだ状態で直後の圧着ローラ１０，１０間に送り込むことができるようにすることによって、テープ面を正確に圧着させて封緘できるようにしてある。該実施例に示した封緘機構７は、その全体を封緘装置の基台２２に連なるフレイム４０に保持させてある。
【００２１】
該実施例に示した容器載置用のコンベア５は、図１及び図２において右半部に示した駆動輪体１５と従動輪体１６とこれらの両輪体１５，１６間に懸架させた無端ベルト１７とによって構成されているコンベア部分５ａと、同図の左半部に、符号５１で示したコンベアフレイム２１の上端面を形成するフラットな固定の容器載置面とで構成され、図１のように、これらの固定の容器載置面５１とコンベア部分５ａの上面とが同一平面を形成するするように配置してある。しかしながら、本発明では、後述するように、容器の載置面を固定のものとしておく必要はないので、該固定の容器載置面５１とコンベア部分５ａとが占める部分を一体のコンベアで形成してもよいものであるため、本発明の説明に当たっては、この一体のコンベアと、該実施例の固定の容器載置面５１とコンベア部分５ａとからなるコンベアとを一括してコンベア５として説明している。
【００２２】
而して該実施例のコンベア５は、図１，２のように、駆動輪体１５と従動輪体１６と、これらの両輪体間に懸架された無端ベルト１７とによって構成され、駆動輪体１５の軸に回転ハンドル１８が設けられており、このハンドル１８を手で回転させることによりコンベア５が駆動するように形成されている。また、コンベア５の駆動輪体１５の回動と連動して前記圧着ローラ１０の下側の駆動ローラが回転するように、駆動輪体１５と同軸のプーリー１５ａと、従動輪体１６と同軸のプーリー１６ａと下側圧着ローラ１０と同軸のプーリー１０ａとに伝導ベルト１９を懸架させてある。このようにして、圧着ローラ１０のテープ送り速度とコンベア５の容器送り速度とが同期するように、プーリー１６ａとプーリー１０ａとの直径比を設定してある。該実施例のものにあっては、駆動輪体１５と同軸のプーリー１５ａと従動輪体１６と同軸のプーリー１６ａと下側圧着ローラ１０と同軸のプーリー１０ａとを同一比とするとともに、駆動輪体１５と従動輪体１６と下側圧着ローラ１０との外径についても同一速度となるように設定してある。このようにして、圧着ローラ１０のテープ送り速度とコンベア５の容器送り速度とが同期するようにしてある。伝導ベルト１９には、テンションプーリー２０によって常に適度なテンションを付与させてある。
【００２３】
また、コンベア５はコンベアフレイム２１によって支持され、該コンベアフレイム２１はコンベア昇降機構９を介して基台２２に昇降可能に取り付けられている。本実施例にあっては、この昇降機構９は、交点軸２３を支点として回動可能に×状に組み合わされた前後のリンク２４と、これら前後のリンク２４の交点軸２３を結ぶ筒杆２５と、この筒杆２５の一端開口部に螺合する調整ネジ軸２６とを含み、この調整ネジ軸２６の一端部が基台２２から立ち上げた基板２７に保持され、基板２７から露出した先端部に回動つまみ２８が設けられている。また前記×状リンク２４の一端側（図１における右側）の上下端はピン２９を介してコンベアフレイム２１と基台２２とにそれぞれ回動自在に連結され、反対側の上下端はスライドピン３０を介してコンベアフレイム２１と基台２２とに設けた水平な長孔３１にそれぞれスライド可能に嵌合させてある。従って、回動つまみ２８を回動することにより筒杆２５が軸方向に移動して左右に配置させた×状リンク２４の高さを同時に変化させ、これにより封緘する容器の封緘位置の高さに合わせてコンベア５の容器載置面を昇降させるようにしてある。また、このコンベア昇降の際に、圧着ローラ１０側のプーリー１０ａとコンベア側のプーリー１６ａとの相対位置が変化しても伝導ベルト１９に付与したテンションプーリー２０のテンションにより自動的に適度のテンションを保持して連動効果を損なうことがないようにしてある。
【００２４】
粘着テープ６は図２に示すように、リール状に巻回された状態でテープホルダ４１に保持され、テンション調整プーリー３７を経て上記の圧着ローラ１０、１０に向かって送り出されるように構成されている。テンション調整プーリー３７は図１で示されたスプリング３８によって上面から弾性押圧力を受けてブレーキが掛けられ、その外側には滑り加工が施されたテンションプーリー３７ａが当てつけられ、調整ナット３９を回動することによりスプリング３８の押圧力が加減されてブレーキ力が変化するように形成されている。その外側には滑り加工が施されたテンションプーリー３７ａが当てつけられている。このようにして、送り出される粘着テープ６に適正な緊張力が付与できるようにして粘着テープの弛みの発生を阻止している。
【００２５】
前記カッター機構８は、図３に詳しく示したように、枢軸３３を介して基台２２に支持された操作レバー形の操作体３２を含み、この操作体３２を下方に押し下げて回動すると、該操作体３２と連動してローラ支持アーム３４が枢軸３３を支点として矢印方向に回動し、先端のローラ３４ａがフレイム４０に保持されたプランジャー３５を押し出して、その先端に設けられたカッター３６が粘着テープ６の方向に押し出され、封緘テープを切断するように形成されている。前記プランジャー３５は、図示は省略するがローラ３４による押圧力がなくなるとスプリング圧によって常時カッター待機位置（図３の状態）に復帰するように形成されている。
【００２６】
前記操作体３２はコンベアの回転ハンドル１８の近傍位置に配置されている。これにより、コンベア５の回転ハンドル１８を回して容器を送った後、回転ハンドル１８から離した手で操作体３２を下方に操作することによって、封緘テープの切断作業を容易且つ迅速に行うことができるようになっている。また、図１，２中の符号４２は、封緘装置Ａの持ち運びの際の把手であって、基台２２に固定されている。
【００２７】
以上のように構成された封緘装置において、図４に示すように、鶏卵等の食品を収容した包装用容器Ｃの遊端縁部４を治具１２の断面Ｖ字形の溝１１に押しつけて矢印方向に移行させ、圧着ローラ１０、１０に近づけた位置で回転ハンドル１８を回転させる。これにより、包装用容器Ｃはコンベア５と圧着ローラ１０、１０の挟持力によって右方向に移行され、その遊端縁部４が粘着テープ６とともに圧着ローラ１０、１０で圧着されつつ、二つ折りテープに挟み込まれて接着封緘される。このとき、圧着ローラ１０のテープ送り速度とコンベア５の容器送り速度とが同期するように、プーリー１６ａとプーリー１０ａの直径を同一比率で形成されているので、包装用容器Ｃと粘着テープ６とを同期して送ることができて両者間に送りのズレが生じることなく、確実に包装用容器Ｃを粘着テープで封緘することができる。包装用容器Ｃを封緘した後、操作体３２を操作して包装用容器Ｃの終端側から粘着テープを切り離す。
【００２８】
また、既に説明したように、容器の封緘位置の高さの異なった容器を封緘する場合には、回動つまみ２８を操作してコンベア昇降機構９によってコンベア５の容器載置面を昇降させ、封緘する包装用容器Ｃの遊端縁部４を封緘機構７の作業位置に高さを合わせて正しく調整することができる。
【００２９】
前記上下の圧着ローラ１０、１０間に粘着テープ６を最初にセットする場合には、上部圧着ローラ１０を上方に移動できるようにしておくのが好ましい。そのため、本実施例では図５に示すように、下部圧着ローラ１０を支えるフレイム４０に対して上部圧着ローラ１０を支える上部フレイム４３を分離し、この上部フレイム４３をフレイム４０に枢軸４５を支点としてシーソー状に揺動可能に保持させ、上部フレイム４３に固定した上部ローラ１０を枢軸４５の反対側に、常時上方に押し上げる圧縮スプリング４６を設けた棒杆４７の先端を上部フレイム４３の上面に貫通させて、この露出部分にピン軸４８を支点として揺動する押圧カム４９の取手５０を操作して、上部ローラ１０を上方に移行させるようにしてある。
【００３０】
従って、図６に示すように、取手５０を押し下げてカム４９を回動させ、上部フレイム４３を枢軸４５を支点として揺動させ、上部カム１０を持ち上げることによって下部ローラとの間隔を広げることができるようにしてある。このように取手５０を押し下げ操作することによって粘着テープを上下の圧着ローラ間に容易にセットすることができる。また常時はスプリング４６の押圧力により上部圧着ローラが下部圧着ローラに対して弾圧されていて両圧着ローラによる粘着テープの送り並びに接合作用を効果的に行うことができる。
【００３１】
上記した実施例では、固定ガイド部材１４を、成形用回転ローラ１３を軸方向に沿って略半割に裁断したものとすることによってコストの低減化を図ったが、これに代えて図７に示すように、固定ガイド部材１４を別個に、例えば平面視略四角形の形態に形成した固定ガイド部材１４を形成してもよいことは勿論である。
【００３２】
また、図８に示した実施例は、既に説明したように、前記の実施例においては、コンベア５の構造として、右半部に駆動輪体１５を備えた無端ベルト１７とによるコンベア部分５ａと、左半部に、コンベアフレイム２１の上端面を形成する固定の容器載置面とで構成されているものとして示したが、該図８に示したコンベア５は、固定の容器載置面５１とコンベア部分５ａとが占める部分を、一体の一つのコンベア５で形成してある構造としたものである。
【００３３】
前記実施例に示したコンベア昇降機構９は、基台２２に設置した基板２７から右側方に突出させた調整ネジ軸２６の先端部の回動つまみ２８を回動させることにより、×状に組み合わせた前後のリンク２４を操作してコンベア５を昇降させる装置としたが、この昇降操作体としての回動つまみ２８は必ずしも基台２２の右側方に突出させてある必要はない。この別実施例として操作つまみ２８を基台２２の前面側に突出させて形成した実施例を図９として示した。該図９に正面図として示したコンベア昇降機構９は、基台２２の前後方向に調整ネジ軸２６を支持させる基板２７を設置し、この基板２７に対して調整ネジ軸２６の手前側に昇降操作用の回動つまみ２８を設け、中間部に操作ギヤー２６Ｇを固定し、この操作ギヤー２６Ｇと左右に配置した左右のリンク２４の交点軸２３を結ぶ杆体２５に形成した単数または複数の突起若しくはラック状ギヤーと係合させて、該杆体２５を左右方向に移動させる構造としたものである。本発明にいうコンベア昇降機構９は、このようにして実施することもできるものである。
【００３４】
以上本発明の代表的な実施例について説明したが、本発明は必ずしも上に記載した実施例構造のみに特定されるものではない。例えば、封緘後の粘着テープを切断するカッター機構７やコンベア昇降機構９はその目的を達成できるものであればよいので別の機構とすることができる。その他本発明はその目的を達成し、請求の範囲を逸脱しない範囲内で適宜修正したり変更して実施することができるものである。
【産業上の利用可能性】
【００３５】
本発明は、スーパー等の店頭で惣菜等の食品物を収納した合成樹脂シート材製の容器を商品の購買客自身が手動で操作して封緘することができる簡易封緘装置であるので、市場において大いに利用されるものと思われる。
【図面の簡単な説明】
【００３６】
【図１】主要な封緘装置の実施例を示す正面図。
【図２】同封緘装置の平面図。
【図３】同封緘装置の粘着テープ切断機構部分を示した側面図。
【図４】同封緘装置における封緘機構部分を示した斜視図。
【図５】同封緘装置における圧着ローラ部分の説明図。
【図６】上部の圧着ローラを持ち上げた状態を示す図５同様の説明図。
【図７】固定ガイド部材の他の実施例を示す斜視図。
【図８】コンベアの別実施例を示す図１相当の正面図。
【図９】コンベア昇降機構の別実施例を示す図１相当の正面図。
【符号の説明】
【００３７】
Ａ  封緘装置
Ｂ  テーブル
Ｃ  包装用容器
１  容器本体
２  蓋体
３  ヒンジ部
４  遊端縁部
５  コンベア
６  粘着テープ
７  封緘機構
８  カッター機構
９  コンベア昇降機構
１０  圧着ローラ
１１  溝
１２  治具
１３  回転ローラ
１４  固定ガイド部材
１８  回転ハンドル
２１  コンベアフレイム
２２  基台
３２  操作体
【図１】
2010083576.tif 000003
【図２】
2010083576.tif 000004
【図３】
2010083576.tif 000005
【図４】
2010083576.tif 000006
【図５】
2010083576.tif 000007
【図６】
2010083576.tif 000008
【図７】
2010083576.tif 000009
【図８】
2010083576.tif 000010
【図９】
2010083576.tif 000011